(57)【特許請求の範囲】
【請求項１】
建物の壁に埋め込まれて設置されるようにした消火器ケースであって、前面側を開放したケース本体（１）と、閉じたときに表側の面が壁面とほぼ面一となる蓋体（２）を有し、前記蓋体（２）は、ケース本体（１）に回転可能に設けられ、かつ、その裏側に設けたトレー部分（６）で消火器（３）を保持し、前記トレー部分（６）は、消火器（３）を横置きにして載置できるようにしたもので、蓋体（２）が閉じているときに、後方側が高くなるように傾斜した状態が維持されるようにした面（９）と、消火器（３）がもたれかかるようにした蓋体（２）の裏側に沿う面（８）とを有しており、さらに、ケース本体（１）と蓋体（２）との間に介在するダンパー（４）により、蓋体（２）が自動的に閉じるようになっていることを特徴とする消火器ケース。
【請求項２】
ダンパー（４）を、ガススプリング機構を有するものとした請求項１記載の消火器ケース。
【発明の詳細な説明】
【０００１】
【発明の属する技術分野】
この発明は、消火器を収容するための消火器ケースに関するものである。
【０００２】
【従来の技術】
従来より、壁に埋め込んで設置される消火器ケースとして、前面側を開放した箱型のケース本体と蓋体からなり、その裏側の面に消火器を保持するようにしたものが存在する。
【０００３】
この従来の消火器ケースは、手を使って蓋体を回転させることにより、蓋体が開閉できるようにしている。この消火器ケースは、通常時では、蓋体の裏側の面がケース本体の内側に向き、消火器がケース本体内に納まった状態となり、蓋体を開くと、その裏側の面がケース本体の外側に現れ、消火器を取り出せる状態となる。そのため、通常時は、消火器が外部に露出せず、建物の美観が損なわれないとともに、緊急時には蓋体を回転させることにより、即座に消火器を取り出せるようになっている。
【０００４】
しかし、この従来の消火器ケースは、蓋体を開いて消火器を取り出した後、蓋体を、開くときと反対方向に手で押して回転させなければ、蓋体が閉じない。従って、緊急を要する火災時において、蓋体を閉じるのに手間取ることがあり、また、蓋体を開いたままにした場合には、蓋体がケース本体から突出しているため、通行の妨げとなって、消火活動や非難行動に支障が生じることがあった。
【０００５】
しかも、蓋体の開閉の際に蓋体の回転速度の調節ができないため、勢いよく蓋体を開閉すると、消火器が蓋体から離脱するおそれもある。
【０００６】
【発明が解決しようとする課題】
そこで、この発明は、蓋体を開いて消火器を取り出した後、手を使って蓋体を閉じることなく、蓋体が自動的に回転して閉じ、しかも、蓋体の回転がソフトに行なわれるようにした消火器ケースを提供することを課題とする。
【０００７】
【課題を解決するための手段】
前記課題を解決するため、この発明は次のような技術的手段を講じている。
【０００８】
この発明の消火器ケースは、建物の壁に埋め込まれて設置されるようにした消火器ケースであって、前面側を開放したケース本体（１）と、閉じたときに表側の面が壁面とほぼ面一となる蓋体（２）を有し、前記蓋体（２）は、ケース本体（１）に回転可能に設けられ、かつ、その裏側に設けたトレー部分（６）で消火器（３）を保持し、前記トレー部分（６）は、消火器（３）を横置きにして載置できるようにしたもので、蓋体（２）が閉じているときに、後方側が高くなるように傾斜した状態が維持されるようにした面（９）と、消火器３がもたれかかるようにした蓋体２の裏側に沿う面８とを有しており、さらに、ケース本体（１）と蓋体（２）との間に介在するダンパー（４）により、蓋体（２）が自動的に閉じるようにしたものとしている。
【０００９】
また、ダンパー４は、ガススプリング機構を有するものとすることができる。
【００１０】
【発明の実施の態様】
以下、この発明の実施の形態を、図面を参照して説明する。
【００１１】
この発明の消火器ケースは、前面側を開放したケース本体１と蓋体２を有し、前記蓋体２は、ケース本体１に回転可能に設けられ、かつ、その裏側において消火器３を保持するようにし、さらに、ケース本体１と蓋体２との間に介在するダンパー４により、蓋体２が自動的に閉じるようにしたものである。
【００１２】
図１は、この消火器ケースの通常の状態の正面図、図２は、背面側からの透視図、図３は、右面側からの透視図、図４は、蓋体２の上面図、図５は、蓋体２の左面側からの断面図、図６は、消火器３を取り出すために蓋体２を回転させている状態を示す図、図７は、その右面側からの透視図である。
【００１３】
この消火器ケースは、建物の壁に埋め込まれて設置される。ケース本体１や蓋体２は、金属製とすることができる。
【００１４】
ケース本体１は、前面側を開放した横長の箱型形状としており、消火器３は横にして収容される。蓋体２は、ケース本体１の前面側の開放部をほぼ塞ぐ大きさの長方形の板状部分５と、その裏側における、消火器３を保持するためのトレー部分６からなる。
【００１５】
前記板状部分５には、図１において中央上部に指を掛けるための穴７が設けられている。また、前記板状部分５の表側の面には、「消火器３」等の文字を付したステッカーを貼ることにより、ケース本体１内に消火器３が収容されていることが明示されるようにするとよい。
【００１６】
前記トレー部分６は、８０度程度の角度を有する２つの面８，９を有し、消火器３を横置きにして載置できるようにしたもので、一方の面８の上端部８ａが前記板状部分５の裏側にスポット溶接等により取り付けられており、この一方の面８は前記板状部分５に沿い、他方の面９は、後端部に略直角に形成した脚部９ａを有し、蓋体２が閉じているときに、後方側が高くなるように傾斜した状態が維持されるようにしている。さらに、トレー部分６の前記各面８，９には、ゴム製等のクッション材１０が設けられている。
【００１７】
蓋体２は、前記板状部分５において、その下端部の左右側部にそれぞれ軸１１が設けられている。蓋体２の左側の軸１１はケース本体１の左板の下端部の前部に、蓋体２の右側の軸１１はケース本体１の右板の下端部の前部にそれぞれ軸支され、蓋体２は、軸１１を中心に回転可能となっている。
【００１８】
また、蓋体２は、開いたときに、ケース本体１と蓋体２との間に介在するダンパー４により、図３において時計と同じ方向に回転するように引き戻される力が加えられるようになっている。
【００１９】
ダンパー４は、ガススプリング機構を有するものとしている。ダンパー４は、その上端部１２（シリンダチューブ１３側）が、ケース本体１の右板の上部の前部内側に軸着され、下端部１４（ピストンロッド１５の先端）が、蓋体２の右側の前記他方の面の中央よりやや前方の部分に軸着されている。
【００２０】
ガススプリング機構は、シリンダチューブ１３に封入された高圧ガスの反力をバネとして利用するもので、金属バネに比べ、小型、軽量で、ピストンロッド１５の伸縮のスピードを精細に調節し、衝撃を緩和することができ、蓋体２の開閉動作をソフトに行なうことができる。
【００２１】
この消火器ケースは、通常の状態においては、図１のように、消火器３を保持する蓋体２の裏側のトレー部分６がケース本体１内に収容され、蓋体２が閉じた状態となり、設置した場所の壁面に蓋体２の表側の面がほぼ面一となるようにしており、消火器３が露出せず、美観が損なわれない。
【００２２】
蓋板２が閉じているとき、図３に示したように、トレー部分６における前記他方の面９が後方側が高くなるように傾斜し、消火器３が前記一方の面８にもたれかかった状態となるので、消火器３をトレー部分６に固定する手段を設けなくとも、消火器３は安定した状態で保持される。
【００２３】
蓋体２を開くと、消火器３を保持する裏側のトレー部分６がケース本体１外に露出し、消火器３を取り出せる状態となる。蓋体２は、前記中央上部の穴７に指を掛けて容易に開くことができ、そして、消火器３を手で持ち上げることにより、緊急時に即座に消火器３を取り出すことができる。
【００２４】
しかも、蓋体２は、前記ダンパー４により、自動的に引き戻されて閉じるようになっているため、蓋体２を開いて消火器３を取り出した後、蓋体２をそのまま放置しても、蓋体２は自動的に閉じ、蓋体２がケース本体１から突出しないので、通行の妨げにならず、消火活動や非難行動に支障が生じない。
【００２５】
なお、ダンパー４による引き戻しの強さは、蓋体２が開いた状態において、消火器３が蓋体２に保持されているときは、消火器３の重みにより、蓋体２が勝手に回転せず、かつ消火器３を持ち上げて蓋体２から取り出し、蓋体２から指を離したときに、蓋体２が回転を開始する程度とすることが望ましい。これにより、消火器３を持ち上げトレー部分６から離したとき、蓋体２は急激に回転することなく、ゆっくり、ソフトに回転しながら閉じるので、消火器３を取り出す際に消火器３や使用者の手が蓋体２に挟まれることがない。また、消火器３を蓋体２に載置する際も、蓋体２が開いた状態がしばらく維持されるので、容易に作業を行なうことができる。
【００２６】
【発明の効果】
この発明の消火器ケースは、上述のような構成を有しており、蓋体２を開いて消火器３を取り出した後、手を使って蓋体２を閉じることなく、蓋体２が自動的に回転して閉じ、しかも、蓋体２の回転がソフトに行なわれるようになっている。
【図面の簡単な説明】
【図１】  この発明の実施形態の消火器ケースの通常の状態の正面図。
【図２】  この発明の実施形態の消火器ケースの通常の状態の背面側からの透視図。
【図３】  この発明の実施形態の消火器ケースの通常の状態の右面側からの透視図。
【図４】  この発明の実施形態の消火器ケースの蓋体の上面図。
【図５】  この発明の実施形態の消火器ケースの蓋体の左面側からの断面図。
【図６】  この発明の実施形態の消火器ケースで、消火器を取り出すために蓋体を回転させている状態を示す説明図。
【図７】  この発明の実施形態の消火器ケースで、消火器を取り出すために蓋体を回転させている場合の右面側からの透視図。
【符号の説明】
１  ケース本体
２  蓋体
３  消火器
４  ダンパー
６ トレー部分
【図１】
0003899487.tif 000002
【図２】
0003899487.tif 000003
【図３】
0003899487.tif 000004
【図４】
0003899487.tif 000005
【図５】
0003899487.tif 000006
【図６】
0003899487.tif 000007
【図７】
0003899487.tif 000008